(57)【要約】【課題】矩形形状の打鍵面のキートップを有するキースイッチ装置であっても、簡単な構造で、キートップの押下時のキートップのたわみを防止して、キートップの回転振れ幅を押さえることができる、キースイッチ装置を提供する。【解決手段】一対のリンク部材３は、相互に噛み合うギア６をそれぞれに３個以上ずつ有し、ベース１及びキートップ２のいずれか一方に摺動自在に連結される摺動部９を３個以上有すると共に、摺動部９の連結相手のベース１及びキートップ２のいずれか一方が、摺動部９に摺動自在に係合する摺動係合部１０を３個以上有し、一対のリンク部材３の各々が、キートップ２及びベース１の残りの一方に回転自在に連結される回動部７を３個以上有すると共に、回動部７の係合相手のキートップ２及びベース１の残りの一方が、回動部７に回動自在に係合する回動係合部８を３個以上有する。【選択図】図２
2008251461.tif 000002
【特許請求の範囲】
【請求項１】
ベース、該ベース上に配置され、一対の長辺及び一対の短辺を有する矩形形状の打鍵面を有するキートップと、互いに連動して該キートップを該ベース上で昇降方向へ案内支持する一対のリンク部材と、前記キートップの昇降動作に対応して電気回路の接点を開閉するスイッチ機構とを有する、キースイッチ装置において、
前記一対のリンク部材は、前記キートップの前記打鍵面の前記一対の長辺に沿ってそれぞれ配置され、
前記一対のリンク部材は、相互に噛み合うギアをそれぞれに３個以上ずつ有し、
前記一対のリンク部材の各々が、前記ベース及び前記キートップのいずれか一方に摺動自在に連結される摺動部を３個以上有すると共に、該摺動部の連結相手の前記ベース及び前記キートップのいずれか一方が、前記摺動部に摺動自在に係合する摺動係合部を３個以上有し、
前記一対のリンク部材の各々が、前記キートップ及び前記ベースの残りの一方に回転自在に連結される回動部を３個以上有すると共に、該回動部の係合相手の前記キートップ及び前記ベースの残りの一方が、前記回動部に回動自在に係合する回動係合部を３個以上有することを特徴とする、キースイッチ装置。
【請求項２】
請求項１に記載のキースイッチ装置を有することを特徴とする、キーボード。
【発明の詳細な説明】
【技術分野】
【０００１】
本発明は、打鍵操作されるキースイッチ装置に関し、特に電子機器の入力装置であるキーボードで好適に使用されるキースイッチ装置に関する。更に本発明は、そのようなキースイッチ装置を備えたキーボードに関する。
【背景技術】
【０００２】
従来から、矩形状の打鍵面を有するキートップを備えたキースイッチ装置は、たわみ及び回転を防止するために、針金形状のリンク部材を複数備えていたり、既存の一対のリンク部材（特許文献１参照のこと）を複数備えていたりしていた。
【０００３】
【特許文献１】特開２００６−０４９２７４号公報
【発明の開示】
【発明が解決しようとする課題】
【０００４】
特許文献１で開示されている、メンブレンシートスイッチ上にベースパネルがあるタイプのキースイッチ装置であれば、キートップの矩形形状の打鍵面の、より長い辺に略平行に延びる、針金状のリンク部材を複数設け、それに対応する案内穴をベースパネルに設けることができる。しかし、同じく特許文献１で開示されている、ベース上にメンブレンシートスイッチを設ける、キースイッチ装置では、ベース上には既に多数の穴が開いているため、更に穴を空けることは、強度上の問題から難しい。さらに、特許文献１で開示されている、既存の一対のリンク部材を複数、キートップ内に配置した場合には、一対のリンク部材ごとに、ギアをかみ合わせる必要があり、キートップを複数の一対のリンク部材に取り付ける際に、ギアを破損するおそれがあった。
【０００５】
本発明の目的は、矩形形状の打鍵面のキートップを有するキースイッチ装置であっても、簡単な構造で、キートップの押下時のキートップのたわみを防止して、キートップの回転振れ幅を押さえることができる、キースイッチ装置を提供することにある。
【課題を解決するための手段】
【０００６】
上記目的を達成するために、本発明によれば以下のような特徴を有するキースイッチ装置、およびそれを備えたキーボードが提供される。
【０００７】
請求項１ではベース、上記ベース上に配置され、一対の長辺及び一対の短辺を有する矩形形状の打鍵面を有するキートップと、互いに連動して上記キートップを上記ベース上で昇降方向へ案内支持する一対のリンク部材と、上記キートップの昇降動作に対応して電気回路の接点を開閉するスイッチ機構とを有する、キースイッチ装置において、上記一対のリンク部材は、上記キートップの上記打鍵面の上記一対の長辺に沿ってそれぞれ配置され、上記一対のリンク部材は、相互に噛み合うギアをそれぞれに３個以上ずつ有し、上記一対のリンク部材の各々が、上記ベース及び上記キートップのいずれか一方に摺動自在に連結される摺動部を３個以上有すると共に、上記摺動部の連結相手の上記ベース及び上記キートップのいずれか一方が、上記摺動部に摺動自在に係合する摺動係合部を３個以上有し、上記一対のリンク部材の各々が、上記キートップ及び上記ベースの残りの一方に回転自在に連結される回動部を３個以上有すると共に、上記回動部の係合相手の上記キートップ及び上記ベースの残りの一方が、上記回動部に回動自在に係合する回動係合部を３個以上有することを特徴とする。
【０００８】
請求項２では、請求項１に記載のキースイッチ装置を有することを特徴とする。
【発明の効果】
【０００９】
請求項１の発明では、上記一対のリンク部材は、相互に噛み合うギアをそれぞれに３個以上ずつ有し、上記一対のリンク部材の各々が、上記ベース及び上記キートップのいずれか一方に摺動自在に連結される摺動部を３個以上有すると共に、上記摺動部の連結相手の上記ベース及び上記キートップのいずれか一方が、上記摺動部に摺動自在に係合する摺動係合部を３個以上有し、上記一対のリンク部材の各々が、上記キートップ及び上記ベースの残りの一方に回転自在に連結される回動部を３個以上有すると共に、上記回動部の係合相手の上記キートップ及び上記ベースの残りの一方が、上記回動部に回動自在に係合する回動係合部を３個以上有するので、簡単な構造でありながら、キートップ押下時のキートップのたわみを防止し、キートップの回転振れ幅を押さえることができる。
【００１０】
請求項２の発明では、請求項１の発明のキースイッチ装置を備えているので、キートップの押下時のキートップのたわみを防止して、キートップの回転振れ幅を押さえることができるキーボードを提供できる。
【発明を実施するための最良の形態】
【００１１】
図１の図（ａ）は、本発明の第一の実施形態のキースイッチ装置１０１の平面図を示し、図（ｂ）は、図（ａ）のＡ-Ａ断面図を示し、図（ｃ）は、図（ａ）のＢ-Ｂ断面図を示す。図２は、本発明の第一の実施形態のキースイッチ装置の斜視分解図を示し、図３は、キートップ２の斜視背面図を示す。
【００１２】
キースイッチ装置１０１は、ベース１、上記ベース１上に配置される、一対の長辺及び一対の短辺を有する矩形形状の打鍵面を有するキートップ２と、互いに連動して上記キートップ２を上記ベース１上で昇降方向へ案内支持する一対のリンク部材３と、上記キートップ２の昇降動作に対応して電気回路の接点１７を開閉するスイッチ機構５とを有する。上記一対のリンク部材３は、上記キートップ２の上記打鍵面の上記一対の長辺に沿ってそれぞれ配置される。そして、上記一対のリンク部材３は、相互に噛み合うギア６をそれぞれに３個以上ずつ有する。更に、上記一対のリンク部材３の各々が、上記ベース１及び上記キートップ２のいずれか一方に摺動自在に連結される摺動部９を３個以上有する（図では、一対のリンク部材３の各々がベース１に連結される摺動部９を有している）と共に、上記摺動部９の連結相手の上記ベース１又はキートップ２のいずれか一方が、上記摺動部９に摺動自在に係合する摺動係合部１０を３個以上有する。（図では、ベース１が摺動係合部１０を有している）上記一対のリンク部材３の各々が、上記キートップ２及び上記ベース１の残りの一方に回動自在に連結される回動部７を３個以上有する（図では、一対のリンク部材３の各々がキートップ２に連結される回動部９を有している）と共に、上記回動部７の係合相手の上記キートップ２及び上記ベース１の残りの一方が、上記回動部７に回動自在に係合する回動係合部８を３個以上有する。（図では、キートップ２が回動係合部８を有している）これにより、簡単な構造でありながら、キートップの押下時のキートップのたわみを防止して、キートップの回転振れ幅を押さえることができる。
【００１３】
なお、一対のリンク部材３の各々がキートップ２に連結される摺動部９を有し、キートップ２が対応する摺動係合部１０を有すると共に、一対のリンク部材３の各々がベース１に連結される回動部９を有し、ベース１が対応する回動係合部８を有していてもよい。
【００１４】
本実施形態においては、上記キートップ２のたわみ及び回転を防止する他のリンク部材４を更に有している。他のリンク部材４は、キートップ２の回動係合部１３に回動可能に係合する回動部１４と、上記ベース１の摺動係合部１５に摺動係合する、摺動部１６を有する。一対のリンク部材と他のリンク部材４を組み合わせることで、更に、キートップの押下時のキートップのたわみを防止して、キートップの回転振れ幅を押さえることができる。
【００１５】
図４は、本発明の第一の実施形態のキースイッチ装置１０１を有する、キーボード１００１を示す。キーボード１００１は、キースイッチ装置１０1を有する。これにより、キートップの押下時のキートップのたわみを防止して、キートップの回転振れ幅を押さえることができるキーボードを提供できる。
【図面の簡単な説明】
【００１６】
【図１】図（ａ）は、本発明の第一の実施形態のキースイッチ装置１０１の平面図であり、図（ｂ）は、図（ａ）のＡ-Ａ断面図であり、図（ｃ）は、図（ａ）のＢ-Ｂ断面図である。
【図２】本発明の第一の実施形態のキースイッチ装置の斜視分解図である。
【図３】キートップ２の斜視背面図である。
【図４】本発明の第一の実施形態のキースイッチ装置を有する、キーボードを示す図である。
【符号の説明】
【００１７】
１    ベース
２    キートップ
３    一対のリンク部材
４    他のリンク部材
５    スイッチ機構
６    ギア
７    回動部
８    回動係合部
９    摺動部
１０    摺動係合部
１１    ラバードーム
１２    メンブレンシートスイッチ
１４    回動部
１５    摺動係合部
１６    摺動部
１７    接点
【図１】
2008251461.tif 000003
【図２】
2008251461.tif 000004
【図３】
2008251461.tif 000005
【図４】
2008251461.tif 000006